(57)【特許請求の範囲】
【請求項１】
横方向に長く成形されている横貼り用建築用板であって，
その表面が１つの横方向溝により上下段に区画形成されており，
上下段の各区画には，複数の縦方向溝が形成され，かつ，上段区画に形成した縦方向溝と下段区画に形成した縦方向溝とは同一直線上になく，
上記隣り合う縦方向溝と上記横方向溝との間に形成された凸部表面の横方向の幅は複数種類あることを特徴とする建築用板。
【請求項２】
請求項１記載の横貼り用建築用板であって，前記凸部表面には凹凸模様が設けてあることを特徴とする建築用板。
【発明の詳細な説明】
【０００１】
【技術分野】
本発明は，各種建築物の外壁に貼付けて用いる建築用板に関する。
【０００２】
【従来技術】
建築用板９として，図８に示すごとく，縦凹溝９１と横凹溝９２とを規則正しく等間隔で格子状に設けたものが知られている（実公昭６０−２９５６０号）。縦凹溝９１と横凹溝９２とに囲まれた部分は凸部表面９３となり，縦凹溝９１及び横凹溝９２は凹部となりその凹溝を利用して雨水を下方に流して排水する役割を担っている。
この建築用板９は建築物の外壁に長手方向を横方向，短手方向を縦方向として多数枚貼付ることにより使用される（後述の図７参照）。
【０００３】
【解決しようとする課題】
しかしながら，上記建築用板９においては，該建築用板９の短手方向に設けた縦凹溝９１が，建築用板９の端から端まで一直線に貫いている。
このため，建築用板９の長手方向を保持して搬送移動したり，建築物へ貼付施工する際に，上記格子状の縦凹溝９１及び横凹溝９２の十字状交点部分９４が各部にあるため，折れやすく，作業効率の点から改善要求が出されていた。
また，施工後の横凹溝９２はホコリやゴミが溜まりやすく，建築用板９が汚れて見栄えの悪化が早期に発生するという問題があった。
【０００４】
更に，上記建築用板９は，縦凹溝９１や横凹溝９２が規則正しく設けてあることから，施工した状態での建築用板９同士の隣接部分において，各縦凹溝９１，横凹溝９２が一直線に貫かなければ，建築物の外観が非常に悪くなる。
このため，建築用板９製造の際に縦凹溝９１や横凹溝９２を精度高く設ける必要がある。更に，施工の際も細心の注意を払って各縦凹溝９１，横凹溝９２が隣接部分で位置ずれしないように配置する必要があり，大変面倒であった。
【０００５】
本発明は，かかる従来の問題点に鑑みてなされたもので，取扱い，施工が容易であり，施工後の外観性に優れた建築用板を提供しようとするものである。
【０００６】
【課題の解決手段】
請求項１に記載の発明は，横方向に長く成形されている横貼り用建築用板であって，その表面が１つの横方向溝により上下段に区画形成されており，上下段の各区画には，複数の縦方向溝が形成され，かつ，上段区画に形成した縦方向溝と下段区画に形成した縦方向溝とは同一直線上になく，上記隣り合う縦方向溝と上記横方向溝との間に形成された凸部表面の横方向の幅は複数種類あることを特徴とする建築用板にある。
【０００７】
なお，上段，下段とは，横方向溝を基準とする説明で，例えば実施形態例１のように横方向溝が建築用板の中央に唯一本存在する時には，これを基準として，横方向溝により区切られた一方を上段，他方を下段とする。
横方向溝が複数本ある場合は，ある一本の横方向溝に着目し，該横方向溝を介して隣接する部分の一方を上段とした場合，隣接する他方が下段となる。
【０００８】
次に，本発明の作用につき説明する。
本発明にかかる建築用板は，横方向溝により上段と下段とに区画され，これら上段及び下段のそれぞれに多数の縦方向溝が設けてある。これらの縦方向溝は，上段と下段とが一体となって一直線に貫かれた溝を形成しないように設けてある。すなわち，上段と下段とで縦方向溝の位置が互いに食い違うように設けてある（図１等参照）。
【０００９】
このように，本発明では建築用板を縦方向に貫く溝が殆どないため，溝形成による縦方向の大きな強度低下が抑制される。よって，搬送や施工の際の取り扱いが容易となる。
【００１０】
また，後述する図７に示すように，本発明にかかる建築用板が建築物に施工され，ここに雨水が降りかかった際には，後述する図６に示すごとく，雨水は上段の縦方向溝を下方に伝って流れ横方向溝に達し，ここにおいて同図に記載した矢線８に示すごとく横方向に振り分けられた後，下段の縦方向溝に降りて，更に下方へと流れ落ちてゆく。
このため，仮に横方向溝にホコリやゴミが溜まったとしても，雨水が横方向に流れる際に洗い落される。よって，汚れによる見栄えの悪化が生じ難い。
【００１１】
また，本発明では，少なくとも縦方向溝は建築用板を一直線に貫かないように形成されているため，後述する図７に示すように，建築用板を縦方向に隣接させ，多数施工した際，各建築用板の間での縦方向溝の位置ズレが目立ちにくい。
このため，建築用板施工の際に位置決め精度が要求されず施工容易である。また，建築用板製造の際の縦方向溝の形成において溝幅や溝の形成位置に精度が必要なく，製造容易である。
【００１２】
また，本発明の建築用板は上段と下段の縦方向溝が一直線上に存在しないよう形成されている。よって，自然石であるような外観印象を与えるため，落ち着いた意匠が形成され，美観に優れた建築用板を得ることができる。
【００１３】
以上，本発明によれば，取扱い，施工が容易であり，施工後の外観性に優れた建築用板を提供することができる。
【００１４】
本発明にかかる建築用板としては，例えば無機質系のセメント板，スレート板，珪酸カルシウム板，スラグセメントパーライト板等よりなるものを挙げることができる。
また，本発明にかかる建築用板は各種建築物の外壁として利用することができる。
【００１５】
また，請求項１に記載の発明のように，上記建築用板は横方向に長く成形されている横貼り用建築用板である（図７参照）。これにより，縦方向溝が多く形成されているにもかかわらず，両端を保持して搬送移動する時に折損を生じ難くすることができる。また，多くの縦方向溝により横方向溝のホコリ等を洗い流すことができる（図６参照）。
【００１６】
横方向に長い横貼り用建築用板は長手方向が横方向となり，長さが長いために折損しやすい。特に縦方向を貫く溝が形成されると，この不具合が顕著に現れる。本発明にかかる建築用板には縦方向を貫く溝が形成されていないため，溝形成による横方向の強度低下が抑制され，横方向に長い建築用板に対する適用が非常に有効に機能する。
【００１７】
次に，請求項２に記載の発明のように，上記隣り合う縦方向溝と上記横方向溝との間に形成された凸部表面には凹凸模様が設けてあることが好ましい。これにより，自然石風外観をかもし出すことができると共に，後述する図７に示すように施工した際に，隣接する建築用板における縦方向溝，横方向溝の位置ずれをより目立ち難くすることができる。
【００１８】
なお，上記凹凸模様としては，後述の図１，図３等に示すごとき，横方向の細長い凹部を多数設けた構成のものの他，鉄平石のごとく薄く割り裂いたような模様のもの，またスタッコ柄等の構成が挙げられる。
【００１９】
更に，上記凸部表面の横方向の幅は複数種類あり，確実に縦方向溝を上段と下段とで一直線上に並ばないよう構成できるため，本発明にかかる効果を確実に得ることができる。また，建築用板を縦方向に隣接させ，多数施工した際，縦方向溝のズレが一層目立ち難くなり，施工の際に位置決め精度が要求されず施工容易である。また，製造の際の縦方向溝の形成において溝幅や溝の形成位置に精度の必要がなく，製造容易である。
【００２０】
また，凸部表面の横方向の幅を複数種類とすることで，全体として縦方向溝をランダムに配置した状態とすることができる。このため，自然石であるような外観印象を与えるため，落ち着いた意匠が形成され，美観に優れた建築用板を得ることができる。
【００２１】
【発明の実施の形態】
実施形態例
本発明の実施形態例にかかる建築用板につき，図１〜図７を用いて説明する。
本例の建築用板１は，図１に示すごとく，複数の縦方向溝１１と該縦方向溝１１を横切るように設けた１つの横方向溝１２とを設け，そして，上段１５１の縦方向溝１１と下段１５２の縦方向溝１１とは同一線上にない。
【００２２】
また，上記凸部表面には凹凸模様１３が設けてあり，各凸部表面の幅は複数種類ある。つまり，図１に示すごとく，各縦方向溝１１間の凸部表面の幅ｄ１〜ｄ５等は全てが同じでなく，ランダムとなるよう構成されている。
【００２３】
以下，詳細に説明する。
本例の建築用板１は，図７に示すごとく，建築物２の外壁を構成する板材で，無機質系のセメント板よりなる。建築物２の外側に横方向に２列，縦方向に隙間なく多数枚並べて配置されている。また，縦方向に隣接する建築用板１間には横方向目地溝１９が形成されている。
図２に示すごとく，建築用板１は横方向に長く構成された横貼り用建築用板で，幅Ｗが約３ｍ，高さＨが約４５ｃｍである。また厚みは１８ｍｍである。
【００２４】
図１〜図５に示すごとく，上端１６１には施工の際に他の建築用板の段部１４２が載置される段部１４１と，図４，図７に示すごとく，他の建築用板１が当接することによって隣接する建築用板１間に形成される横方向目地溝１９となる斜面１４が設けてある。下端１６２には段部１４２と隣接する建築用板間の横方向目地溝１９を形成する斜面１４０が設けてある。
建築用板１の縦方向の中心位置には該建築用板１を横方向に貫通する横方向溝１２が１本設けてある。
【００２５】
斜面１４と横方向溝１２との間の上段１５１には多数の縦方向溝１１が設けてある。また，横方向溝１２と斜面１４０との間の下段１５２には多数の縦方向溝１１が設けてある。
これらの各縦方向溝１１の間で区画形成された凸部表面，例えば図１に示すｄ１〜ｄ５の幅はランダムとなるよう構成され，上段１５１の縦方向溝１１と下段１５２の縦方向溝１１とが同一直線上に存在しないように配置される。
また，上記間隙は７〜１０ｃｍの間より適宜選択される。
【００２６】
各縦方向溝１１の間には，図１〜図３に示すごとく，多数の横方向に細長く形成された凹部よりなる凹凸模様１３が設けてある。なお，各図において凹部は凹凸模様１３の一部のみを記載し，他は省略した。
【００２７】
本例の作用効果について説明する。
本例の建築用板１は，横方向溝１２により区分された上段１５１及び下段１５２のそれぞれに多数の縦方向溝１１が設けてあり，これらの縦方向溝１１は，図１等に示すごとく，上端１４１から下端１４２までを一直線に貫くような溝を形成しないように設けてある。つまり，上段１５１と下段１５２とで縦方向溝１１は位置が互いに食い違うように設けてある。
このように本例の建築用板１は縦方向を貫く溝を殆ど持たないため，溝形成による横方向の大きな強度低下が抑制される。よって，搬送や施工の際の取り扱いが容易となる。
【００２８】
また，図６に示すごとく，本例の建築用板１に雨水が降りかかった際には，雨水は上段１５１の縦方向溝１１を下方に伝って流れる。横方向溝１２に達し，同図に記載した矢線８に示すごとく横方向に振り分けられた後，下段１５２の縦方向溝１１に降りて，更に下方へと流れ落る。そして，図７に示す建築用板１間の横方向目地溝１９で同様に横方向に振り分けられて，そこから更に縦方向溝に降りて，という具合に更に下方へと流れ落ちてゆく。
このため，横方向溝１２や横方向目地溝１９にホコリやゴミが溜まったとしても，雨水が横方向に流れる際に洗い落される。よって，汚れによる見栄えの悪化が生じ難い。
【００２９】
また，本例は，縦方向溝１１が建築用板１を一直線に貫かないように形成されているため，図７に示すごとく建築用板１を縦方向に隣接させて多数施工した際，縦方向溝１１のズレが目立ちにくい。
このため，建築用板１施工の際に位置決め精度が要求されず施工容易である。また，建築用板１製造の際の縦方向溝１１の形成において溝幅や溝の形成位置に精度が必要がなく，製造容易である。
【００３０】
また，本例の建築用板１は縦方向溝１１と横方向溝１２との間で区画形成された凸部表面の幅が複数種類あり，つまり縦方向溝１１がランダムに形成されている。よって，自然石であるような外観印象を与えるため，落ち着いた意匠が形成され，美観に優れたものを得ることができる。
【００３１】
本例によれば，横方向溝１２が１本であり縦方向溝１１の間隙を７〜１０ｃｍとしているため，ホコリやゴミが溜まる場所が少なくて済み，雨水が流れやすいと同時に縦方向溝１１が一直線に貫いていないので，建築用板の強度維持が保たれ，折損防止が図れると共にランダム感からくる自然石風の外観が強調できる。また，取扱い，施工及び製造が容易であり，施工後の外観悪化が生じ難い建築用板を提供することができる。
【００３２】
【発明の効果】
上述のごとく，本発明によれば，取扱い，施工が容易であり，施工後の外観性に優れた建築用板を提供することができる。
【図面の簡単な説明】
【図１】実施形態例における，建築用板の要部平面図。
【図２】実施形態例における，建築用板の平面図。
【図３】実施形態例における，建築用板の一部断面斜視図。
【図４】実施形態例における，建築用板のＡ−Ａ矢視断面図。
【図５】実施形態例における，建築用板の要部斜視図。
【図６】実施形態例における，建築用板における雨水の経路を示す説明図。
【図７】実施形態例における，建築用板を施工した建築物の説明図。
【図８】従来例における，格子状の縦凹溝，横凹溝を持つ建築用板の平面図。
【符号の説明】
１．．．建築用板，
１１．．．縦方向溝，
１２．．．横方向溝，
１３．．．凹凸模様，
１５１．．．上段，
１５２．．．下段，
【図１】
0003980223.tif 000002
【図２】
0003980223.tif 000003
【図３】
0003980223.tif 000004
【図４】
0003980223.tif 000005
【図５】
0003980223.tif 000006
【図６】
0003980223.tif 000007
【図７】
0003980223.tif 000008
【図８】
0003980223.tif 000009